(57)【要約】【課題】印刷媒体をロードするための細いスリットを有するローラーを備える印刷媒体ローディング装置を提供すること。【解決手段】印刷媒体ローディング装置は、印刷媒体をロードするための細いスリットを有するローラーを含む。前記ローラーの両側に切り目がそれぞれ設けられ、前記細いスリットは前記２つの切り目に向かって延びている。印刷媒体ローディング装置は更に、前記ローラーの両側のうち一側面にある切り目に設けられ、前記ローラーの直径を固定するための少なくとも１つの着脱式固定具を含む。【選択図】図１
2010089960.tif 000002
【特許請求の範囲】
【請求項１】
印刷媒体ローディング装置であって、
印刷媒体をロードするローラーを含み、
前記ローラーは細いスリットを含む、印刷媒体ローディング装置。
【請求項２】
前記細いスリットは前記ローラーの両側に延びている、請求項１に記載の印刷媒体ローディング装置。
【請求項３】
前記印刷媒体ローディング装置は更に、
前記ローラーの細いスリットに設けられ、前記ローラーの直径を固定するための着脱式固定具を含む、請求項２に記載の印刷媒体ローディング装置。
【請求項４】
前記ローラーの両側には切り目がそれぞれ設けられ、前記細いスリットは前記２つの切り目に向かって延びており、前記印刷媒体ローディング装置は更に、
前記ローラーの両側のうち一側面にある切り目に設けられ、前記ローラーの直径を固定するための少なくとも１つの着脱式固定具を含む、請求項２に記載の印刷媒体ローディング装置。
【請求項５】
前記着脱式固定具の両側には２つのΩ字型、Ｃ字型、またはＴ字型の突起が設けられ、当該２つの突起は前記ローラーの一側面にある切り目にマッチしている、請求項４に記載の印刷媒体ローディング装置。
【請求項６】
前記着脱式固定具は着脱孔を含む、請求項４に記載の印刷媒体ローディング装置。
【請求項７】
前記細いスリットは前記ローラーの軸方向に沿って延びている、請求項２に記載の印刷媒体ローディング装置。
【請求項８】
写真用紙ローディング装置である、請求項１に記載の印刷媒体ローディング装置。
【発明の詳細な説明】
【技術分野】
【０００１】
本発明は印刷媒体ローディング装置に関し、特に印刷媒体をロードするための細いスリットを有するローラーを備える印刷媒体ローディング装置に関する。
【背景技術】
【０００２】
現在の市場では、市販の写真プリンタはロール式の写真用紙を用いるのが一般であり、印刷対象の写真用紙はローラーに一層ずつ巻装されている。ロール式の写真用紙を搬送するとき、写真用紙とローラーの形状は環境要因（例えば温度または湿度）によって変化する。写真用紙とローラーの膨張係数が相違するので、両者の変形程度も同じにならない。したがって、ローラーに最も近い写真用紙の内層には、写真用紙のずれによる影響で圧痕が生じ、この圧痕により印刷写真の品質が低下する。従来の方法では、圧痕が生じた写真用紙を廃棄するとともに多数の写真用紙を用意することで、前述の問題を解決する。しかし、多数の写真用紙を用意するのは多額のコストを要する。そのため、コストを増加せずにロール式の写真用紙の圧痕を抑制することは急務である。
【発明の概要】
【発明が解決しようとする課題】
【０００３】
本発明の目的の１つは、前記問題を解決するために、印刷媒体をロードするための細いスリットを有するローラーを備える印刷媒体ローディング装置を提供することである。
【課題を解決するための手段】
【０００４】
本発明の実施形態では、印刷媒体ローディング装置を開示する。当該印刷媒体ローディング装置は、印刷媒体をロードするローラーを含む。当該ローラーは細いスリットを含む。
【図面の簡単な説明】
【０００５】
【図１】本発明の実施形態による印刷媒体ローディング装置の分解図である。
【図２】図１に示す印刷媒体ローディング装置のローラーに設けられる着脱式固定具を表す説明図である。
【図３】図１に示す着脱式固定具の詳細図である。
【図４】図２に示すローラーに設けられる着脱式固定具の装着状態を表す説明図である。
【図５】本発明による着脱式固定具の突起の一例を表す説明図である。
【図６】本発明による着脱式固定具の突起の別の例を表す説明図である。
【図７】本発明の別の実施形態による着脱式固定具を表す説明図である。
【図８】本発明の別の実施形態による印刷媒体ローディング装置を表す説明図である。
【発明を実施するための形態】
【０００６】
かかる方法及び装置の特徴を詳述するために、具体的な実施形態を挙げ、図を参照にして以下に説明する。
【０００７】
本明細書及び特許請求の範囲では特定の素子に特定の用語を使用する。当業者に理解できるように、メーカーにより異なる名称で同一の素子を呼ぶことが可能である。本書類では名称でなく機能で素子を区別する。本明細書及び特許請求の範囲に用いる「含む」という用語は限定的に捉えるべきでなく、「含むがそれに限らない」と解すべきである。
【０００８】
図１を参照されたい。図１は本発明の実施形態による印刷媒体ローディング装置１００の分解図である。図１に示すように、印刷媒体ローディング装置１００は、写真用紙などの印刷媒体をロードするためのローラー１１０を含む。ローラー１１０の上には細いスリット１１２が設けられている。本実施形態では、細いスリット１１２はローラー１１０の軸方向に沿ってローラー１１０の両側に延びている。もっとも、これは本発明を限定するものではなく、本発明の別の実施形態として、細いスリット１１２は任意の方向に沿ってローラー１１０の両側に延びることができる。印刷媒体（例えば写真用紙）が巻装されたローラー１１０が環境の変化（例えば温度の上昇）に伴って膨張変形すれば、この印刷媒体が巻装されたローラー１１０は内側から外側（図１に示す方向Ｂ）へ膨張せず、実質的に細いスリット１１２の方向（図１に示す方向Ａ）に膨張する。したがって、ローラー１１０に最も近い写真用紙の内層は、写真用紙のずれによる影響で圧痕が生じることが容易ではない。
【０００９】
図１に示す印刷媒体ローディング装置１００の実施形態によれば、ローラー１１０の両側には切り目１１４がそれぞれ設けられており、前記細いスリット１１２はこの２つの切り目１１４に向かって延びている。また、印刷媒体ローディング装置１００は更に着脱式固定具１２０を２個含む。印刷媒体（例えば写真用紙）をローラー１１０に巻装するとき、固定具１２０をローラー１１０の両側の切り目１１４にそれぞれはめ込み、ローラー１１０の直径を固定することができる（図２に示す）。印刷媒体をローラー１１０に巻装した後、搬送過程において印刷媒体の内層に圧痕を生じさせないために、ローラー１１０から固定具１２０をはずすことができる。
【００１０】
図３を参照されたい。図３は図１に示す着脱式固定具１２０の詳細図である。本実施形態によれば、固定具１２０の両側には２つのΩ字型突起１２２が設けられている。Ω字型突起１２２はローラー１１０の切り目１１４とマッチしてローラー１１０の直径を固定することができる（図４に示す）。また、前記着脱式固定具１２０は更に、固定具１２０をローラー１１０からはずすのを容易にするための着脱孔１２４を含む。
【００１１】
注意すべきは、本発明による固定具１２０をローラー１１０にはめ込み、ローラー１１０の直径をΩ字型突起１２２で固定するのに限らない。言い換えると、固定具１２０をローラー１１０にはめ込み、いかなる手段によってもローラー１１０の直径を固定することができる。図５を参照されたい。図５は本発明による着脱式固定具の突起の一例を表す説明図である。図５に示すように、固定具５２０はローラー５１０に設けられ、Ｃ字型突起５２２でローラー５１０の直径を固定する。図６を参照されたい。図６は本発明による着脱式固定具の突起の別の例を表す説明図である。図６に示すように、固定具６２０はローラー６１０に設けられ、Ｔ字型突起６２２でローラー６１０の直径を固定する。本発明の別の実施形態では、印刷媒体ローディング装置は、ローラー２１０の細いスリット１１２に設けられる１個の着脱式固定具のみ含むことが可能である。図７を参照されたい。図７は本発明の別の実施形態による着脱式固定具を表す説明図である。図７に示すように、印刷媒体ローディング装置７００は細いスリット７１２と切り目７１４に設けられる１個の着脱式固定具７２０のみ含み、これでローラー７１０の直径を固定する。また、本発明では固定具１２０の設置は任意である。言い換えれば、本発明の他の実施形態として、印刷媒体ローディング装置１００は固定具を備えなくても、搬送過程において印刷媒体の内層に圧痕を生じさせないことを確実にすることができる。図８を参照されたい。図８は本発明の別の実施形態による印刷媒体ローディング装置を表す説明図である。図８に示すように、印刷媒体ローディング装置８００の細いスリット８１２はローラー８１０の表面を貫通しないので、ローラー８１０の直径を固定する着脱式固定具は不要とされる。
【００１２】
従来の技術に比べて、本発明による印刷媒体ローディング装置は、ローラーに形成される細いスリットを利用し、用紙のコストを増加せずにロール式用紙の内層に圧痕が生じるという問題を解決する。
【００１３】
以上は本発明に好ましい実施形態であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００１４】
１００，７００，８００，印刷媒体ローディング装置
１１０，５１０，７１０，８１０，ローラー
１１２，７１２，８１２，細いスリット
１１４，７１４，切り目
１２０，５２０，６２０，７２０，固定具
１２２，Ω字型突起
１２４，着脱孔
５２２，Ｃ字型突起
６２２，Ｔ字型突起
【図１】
2010089960.tif 000003
【図２】
2010089960.tif 000004
【図３】
2010089960.tif 000005
【図４】
2010089960.tif 000006
【図５】
2010089960.tif 000007
【図６】
2010089960.tif 000008
【図７】
2010089960.tif 000009
【図８】
2010089960.tif 000010